(57)【要約】【課題】定着手段への電力供給の低下を防ぎ、画像形成速度の低下を防ぐ。【解決手段】画像を記録媒体に定着させる定着手段と、原稿の両面を読み取る両面読取モード、または、原稿の片面を読み取る片面読取モードが選択される選択手段と、前記両面読取モード、または、前記片面読取モードのうち、どちらが選択されたかを判断する判断手段と、前記両面読取モードが選択された場合に、前記原稿の両面を読み取る両面読取手段と、前記判断手段により、前記片面読取モードであると判断された場合の、前記定着手段に供給する設定電力を設定する設定手段と、前記設定電力を前記定着手段に供給する供給手段と、を有し、前記設定電力は、前記両面読取モードが選択された場合に前記定着手段で消費される電力と、前記両面読取手段で消費される電力と、を加算して求められる。【選択図】図２
2011170267.tif 000002
【特許請求の範囲】
【請求項１】
画像を記録媒体に定着させる定着手段と、
原稿の両面を読み取る両面読取モード、または、原稿の片面を読み取る片面読取モードが選択される選択手段と、
前記両面読取モード、または、前記片面読取モードのうち、どちらが選択されたかを判断する判断手段と、
前記両面読取モードが選択された場合に、前記原稿の両面を読み取る両面読取手段と、
前記判断手段により、前記片面読取モードであると判断された場合の、前記定着手段に供給する設定電力を設定する設定手段と、
前記設定電力を前記定着手段に供給する供給手段と、を有し、
前記設定電力は、前記両面読取モードが選択された場合に前記定着手段で消費される電力と、前記両面読取手段で消費される電力と、を加算して求められることを特徴とする画像形成装置。
【請求項２】
前記供給手段は、前記片面読取モードで画像形成処理が終了すると、前記両面読取手段に、電力を供給することを特徴とする請求項１記載の画像形成装置。
【請求項３】
前記設定電力に基づいて、前記原稿の両面が読み取られる場合の、または／および、前記原稿の片面が読み取られる場合の、画像形成速度を表示する表示部を有することを特徴とする請求項１または２記載の画像形成装置。
【発明の詳細な説明】
【技術分野】
【０００１】
この発明は、画像形成装置に関する。
【背景技術】
【０００２】
近年、自動原稿送り装置（ＡＤＦ：Auto Document Feeder）や密着型イメージセンサ（ＣＩＳ：Contact Image Sensor）を備えた画像形成装置が利用されている。ＣＩＳはスキャナユニットに搭載されており、ＣＩＳは原稿の両面をほぼ同時に読み取ることができる。ＣＩＳを備えた画像形成装置は、原稿を反転させて原稿の両面を読み取る画像形成装置と比較すると、複数のイメージセンサを搭載する必要があるため、消費電力量が大きくなる。
【０００３】
また、画像形成装置は、給紙トレイやフィニッシャなどの様々なオプションが搭載可能になっている。従って、該様々なオプションに対する更なる消費電力量が懸念される。
【０００４】
そこで、読取モードに応じて、ＣＩＳへ電力供給を停止することで、省エネ効果を実現する画像形成装置が提案されている（特許文献１参照）。
【発明の概要】
【発明が解決しようとする課題】
【０００５】
画像形成装置は、定着手段を有する。ここで、定着手段とは、用紙上に転写された未定着トナー画像を圧力、又は熱と圧力との作用により該用紙に定着させるものである。
【０００６】
特許文献１記載の画像形成装置は、読み取った画像の画質モード（以下、「読取画質モード」という。）に応じて、ＣＩＳへの電力供給を調整していた。具体的には、読取画質モードが高画質モードであると判断された場合には、ＣＩＳのイメージセンサを多く使用するために、該ＣＩＳに多くの電力を供給していた。逆に、読取画質モードが低画質であると判断された場合には、ＣＩＳのイメージセンサを少なく使用するために、該ＣＩＳに少ない電力を供給していた。
【０００７】
しかし、特許文献１記載の画像形成装置は、オプションを増大させた場合に、該オプションに対して、電力を供給しなければならないため、定着手段への供給電力が減少する。定着手段への供給電力の減少により、画像形成速度が低下するという問題があった。
【０００８】
そこで本発明は、画像形成装置のオプションを増大させた場合であっても、定着手段への供給電力低下を可能な限り防ぎ、画像形成速度の低下を防ぐ画像形成装置を提供することを目的とする。
【課題を解決するための手段】
【０００９】
前記目的を達成するため、画像を記録媒体に定着させる定着手段と、原稿の両面を読み取る両面読取モード、または、原稿の片面を読み取る片面読取モードが選択される選択手段と、前記両面読取モード、または、前記片面読取モードのうち、どちらが選択されたかを判断する判断手段と、前記両面読取モードが選択された場合に、前記原稿の両面を読み取る両面読取手段と、前記判断手段により、前記片面読取モードであると判断された場合の、前記定着手段に供給する設定電力を設定する設定手段と、前記設定電力を前記定着手段に供給する供給手段と、を有し、前記設定電力は、前記両面読取モードが選択された場合に前記定着手段で消費される電力と、前記両面読取手段で消費される電力と、を加算して求められることを特徴とする画像形成装置を提供する。
【発明の効果】
【００１０】
本発明の画像形成装置であれば、画像形成装置のオプションを増大させた場合であっても、定着手段への供給電力低下を可能な限り防ぎ、画像形成速度の低下を防ぐ。
【図面の簡単な説明】
【００１１】
【図１】本実施例の画像形成装置の全体を示した図。
【図２】本実施例の画像形成装置の電気回路を示した図。
【図３】本実施例の画像形成装置のＣＰＵの機能構成例を示した図。
【図４】本実施例の画像形成装置の待機モードに移行するまでの処理フローを示す。
【図５】本実施例の画像形成装置の各オプションで消費される電力のテーブル表の一例を示した図。
【図６】本実施例の画像形成処理の処理フローを示した図。
【図７】本実施例の画像形成処理終了時の処理フローを示した図。
【図８】定着手段への供給電力とコピー速度とを対応させたテーブル表の一例を示した図。
【発明を実施するための形態】
【００１２】
［用語の説明］
実施例の説明の前に、用語の説明を行う。画像形成装置とは例えば、プリンタ、ファクシミリ、複写装置、プロッタ、これらの複合機などである。また、記録媒体は、例えば、紙、糸、繊維、皮革、金属、プラスチック、ガラス、木材、セラミックスなどの媒体である。画像形成とは、文字や図形、パターンなどの画像を記録媒体に付与することや、単に液滴（インク）を記録媒体に着弾させることも意味する。以下では、記録媒体を用紙として説明し、画像形成を印刷として説明し、両面読取手段をＣＩＳ（Contact Image Sensor）として説明する。また、自動原稿送り装置をＡＤＦという。また、「原稿」とは、ユーザがＡＤＦなどにセットして、片面読取手段またはＣＩＳに読み取られるものである。読み取られた「原稿」の画像は用紙に画像形成され、定着される。なお、ブロック図において同じ機能を持つ構成部おいて同じ処理を行う過程には同じ番号を付し、重複説明を省略する。
［画像形成装置の全体的な説明］
図１に本実施例の画像形成装置１００の機能構成例を示す。本実施例の画像形成装置１００は、ＡＤＦ２２０および、ＣＩＳ２２５を搭載している。図１に示す画像形成装置１００は、大略で、ＡＤＦ２２０と、操作ボード１３０と、スキャナ２００とカラープリンタ２５０の各ユニットで構成されている。また、スキャナ２００は片面読取手段として機能する。両面読取手段は、原稿の両面読み取るものであり、片面読取手段は、原稿の片面を読み取るものである。
【００１３】
まず、ユーザは、主電源ＡＣスイッチ１をＯＮにして、画像形成装置１００の各構成部に電力を供給することで画像形成装置１００を動作させる。給紙トレイ２には、ユーザにより、用紙が給紙される。給紙トレイ２にセットされた用紙は、印刷時には、画像形成装置１００の内部に搬送され、画像形成される。従って、オプションとして、給紙トレイ２が装備された場合には、給紙トレイ２にも電力を供給する必要がある。
【００１４】
また、この例では、プリンタ２５０には、複数の感光体ドラム２５０２（図１の例では４つ）や、中間転写ベルト２５０４などが備えられている。そして、プリンタ２５０により、トナー画像が、給紙トレイ２からの用紙上に転写されると、該用紙は、定着手段４に搬送される。この段階では、用紙上に転写されたトナー画像は未定着である。定着手段４は、圧力または／および熱の作用により、用紙上に転写された未定着トナー画像を定着させ、永久像とするものである。定着手段４により定着された用紙は、排出手段により排出される。
【００１５】
また、ユーザが、例えば冊子印刷を所望する場合には、操作ボード１３０から、ユーザはその旨を示す指示信号を入力する。そして、フィニッシャ（図示せず）により、排出された用紙は、ホッチキス止めされ、排出される。ここで、オプションとして、フィニッシャが装備された場合には、フィニッシャに対しても電力を供給する必要がある。
【００１６】
ＡＤＦ２２０とは、ユーザが複数の原稿をセットすると、自動的に該セットされた原稿を送る装置である。上述のように、ＣＩＳ２２５は、複数のイメージセンサで構成されており、原稿が両面である場合には、該両面をほぼ同時読み取ることができる。また、スキャナ２００は片面読取手段２００として機能する。そして、ユーザは操作ボード１３０中の選択手段１３２から、コピーする原稿が両面であるか片面であるかを入力する。ユーザにより入力された情報が、両面である場合には、ＣＩＳ２２５を用いて、原稿の両面を読み取る。また、ユーザにより入力された情報が、片面である場合には、片面読取手段２００を用いて、原稿の片面を読み取る。
【００１７】
また、キャナ２００は、動力電器ドライバやセンサ入力およびコントローラを有する制御ボードを有して、エンジンコントローラと通信を行い、タイミング制御されて表面原稿画像の読取を行う。
【００１８】
また、ＡＤＦ２２０も同様に、動力電器ドライバやセンサ入力、裏面原稿読取用のＣＩＳ、およびコントローラを有する制御ボードを有しており、エンジンコントローラと通信を行い、タイミング制御されて裏面原稿画像の読取を行う。
【００１９】
これにより、ＣＩＳ２２５を搭載したＡＤＦ２２０、スキャナ２００を用いることで、表面、裏面両方の原稿を一度の紙搬送で読み取ることができる。
【００２０】
図２に画像形成装置１００の電力回路図を示す。図２の画像形成装置は、主電源ＡＣスイッチ１と、直流電源２と、供給手段３と、定着手段４と、ＡＤＦ２２０と、第１オプション１１と第２オプション１２とを含む。
【００２１】
また、ＡＤＦ２２０は、ＤＣＤＣコンバータ２２１、２２２と、ＡＤＦのモータ２２４と、切替手段２２３と、ＣＩＳ２２５と、ＣＰＵ２２６と、ＡＤＦ２２０に備えられているセンサなどを含む。
【００２２】
まず、図２中の主な用語について簡単に説明する。直流電源２は、主電源ＡＣスイッチ１からＡＣ電源が供給されると、直流電力に変換して、全体に直流電力を供給するものである。また、第１オプション１１、第２オプション１２はそれぞれ、給紙トレイ２（図１参照）や、フィニッシャ（図示せず）などである。オプションについてはこれらに限られない。図２の記載では、第１オプション１１と第２オプション１２とを分けて記載しているが、まとめて記載してもよい。以下の説明では、画像形成装置に装備されているオプションをまとめてオプション構成という。また、以下の説明では、定着手段４を一次側負荷といい、オプション構成をまとめて二次側負荷という場合もある。また、供給手段３は、定着手段４に供給される電源量を調整して供給するものである。
【００２３】
ＡＤＦ２２０のモータ２２４とは、ＡＤＦ２２０の動作させるモータである。実際には、他のモジュールのモータなども含まれるが、図２の記載では、図面簡略化のために、ＡＤＦのモータ２２４のみを示す。ＡＤＦ２２０のセンサ２２７とは、ＡＤＦ２２０が正常に動作するためのセンサである。例えば、ＡＤＦセンサ２２７はＡＤＦ２２０上に用紙が載せられているか否かを判断するためのものである。
【００２４】
次に、電力の流れについて説明する。ユーザが主電源スイッチ１をＯＮにすると、直流電源２に主電源スイッチ１からの交流電力が供給される。直流電源２は供給された交流電力から直流電力を変換する。また、主電源スイッチ１からの交流電力は、供給手段３に供給される。そして、供給手段３により、電力供給量が調整されて、定着手段４に交流電力が供給される。
【００２５】
また、直流電源２からの直流電力はこの例では、２４Ｖと５Ｖとに分けられる。２４Ｖの直流電源は、ＡＤＦモータ２２４、ＤＣＤＣコンバータ２２１、２２２に供給される。ＡＤＦモータ２２４に２４Ｖの直流電力が供給されると、ＡＤＦモータ２２４が作動し、ＡＤＦ２２０が動作する。また、図２の例では、ＤＣＤＣコンバータ２２１は、供給された２４Ｖの直流電力から、１２Ｖの直流電力を生成し、ＣＩＳ２２５に切替手段２２３を経て、ＣＩＳ２２５に供給する。
【００２６】
切替手段２２３は、ＣＰＵの制御信号により、ＯＮ制御またはＯＦＦ制御される。切替手段２２３がＯＮ制御されると、ＤＣＤＣコンバータ２２１からの直流電力は、ＣＩＳ２２５へ供給される。逆に、切替手段がＯＦＦ制御されると、ＤＣＤＣコンバータ２２２からの直流電力は、ＣＩＳ２２５へは供給されない。
【００２７】
また、ＤＣＤＣコンバータ２２２は、供給された２４Ｖの直流電力から５Ｖの直流電力を生成し、ＣＰＵ２２６およびＡＤＦセンサ２２７に供給する。ＣＰＵ２２６およびＡＤＦセンサ２２７は、供給された５Ｖの直流電力により動作する。
【００２８】
図３に本実施例のＣＰＵ２２６の機能構成例を示す。ＣＰＵ２２６は、判断手段２２６２、オプション電力算出手段２２６４、設定手段２２６５、取得手段２２６８、記憶手段２２６６を含む。それぞれの詳しい処理内容については後述する。
［待機モード移行］
次に、ユーザにより、画像形成装置１００の主電源スイッチ１がオンされてから、待機モードに移行されるまでの流れを説明する。待機モードとは、ユーザにより次の操作が入力されるまで待機するモードである。図４に待機モード移行までの主な処理の流れを示す。まずユーザにより主電源スイッチ１（図２など参照）がＯＮされる（ステップＳ２）。そうすると、取得手段２２６８がオプション設置情報を取得する（ステップＳ４）。ここで、オプション設置情報とは、画像形成装置１００に設置されたオプション構成を示す情報である。例えばオプション構成が、フィニッシャと給紙トレイであれば、オプション設置情報は、該画像形成装置のオプション構成がフィニッシャと給紙トレイであることを示す情報である。
【００２９】
そして、オプション電力算出手段２２６４は、オプション設置情報に基づいてオプション電力を算出する（ステップＳ６）。オプション電力とは、全てのオプション構成で消費される電力である。記憶手段２２６６に、複数のオプション構成と消費電力とを対応させた対応表を記憶させておく。該テーブル表の一例を図５に示す。図５の例では、フィニッシャについては、α（Ｗ）の消費電力であり、給紙トレイについては、β（Ｗ）の消費電力であることを示す。そしてオプション設置情報が示すオプションについての消費電力を求め、それらを加算することで、オプション電力を求める。例えば、オプション構成が、フィニッシャと給紙トレイであれば、オプション電力はα＋βになる。
【００３０】
次に、設定手段２２６５は、定着手段４で消費される第１電力を求める（ステップＳ８）。ここで、第１電力とは、ＣＩＳ２２５を使用する場合の、定着手段４で消費される電力のことである。第１電力の求め方については様々あるが、例えば、以下の式（１）により求められる。
【００３１】
第１電力＝（画像形成装置全体に供給される電力）−（オプション電力）−（定数γ）
（１）
ここで、式（１）中の「画像形成装置全体に供給される電力」は予め求められるものである。また、オプション電力は、上述の通り、オプション電力算出手段２２６４により求められるものである。また、定数γは、オプション構成以外で消費される電力であり、例えば、画像形成処理に消費される電力である。定数γについては予め求められるものであり、記憶手段２２６６に記憶させておけばよい。定数γは０でもよい。求められた第１電力については、記憶手段２２６６に記憶される。
【００３２】
次に、定着手段４のウォームアップなどを含む画像形成装置の初期調整が行われる（ステップＳ１０）。そして、初期調整終了後、ユーザの操作が可能となる待機モードへと移行する（ステップＳ１２）。
［画像形成処理動作開始］
次に画像形成処理（印刷処理）開始時の流れについて説明する。まず、ユーザは操作ボード１３０中の選択手段１３２（図１参照）から読取モードを選択する（ステップＳ１２）。ここで、読取モードとは、原稿の両面を読み取る両面読取モード、または、原稿の片面を読み取る片面読取モードである。読取モードのほか、コピーモードとして、高画質または低画質にコピーするか、または、モノクロコピーするか、またはカラーコピーするか、なども含まれる。また、読取モード、コピーモードについての情報は、ＣＰＵに送信される。
【００３３】
次に、ユーザはコピー処理を開始するべくコピースタートボタンを押下する（ステップＳ１４）コピースタートボタンは、特に図示していないが、操作ボード１３０に含まれる。次に、ＣＰＵ２２６内の判断手段２２６２（図３参照）は、両面読取モード、または、片面読取モードのうち、どちらが選択されたかを判断する（ステップＳ１６）。原稿の両面を読み取る場合には、両面読取センサ２２５（図１参照）を用いて原稿の両面を読み取る。また、原稿の片面をコピーする場合には、片面読取センサ２００（図１参照）を用いて、原稿の片面を読み取る。本実施例では、両面読取センサは、ＣＩＳ２２５であるが、他の手段を用いても良い。
＜片面読取モードが選択された場合＞
まず、判断手段２２６２が、片面読取モードが選択されたと判断した場合（つまりＣＩＳ２２５を使用しない場合であり、ステップＳ１６のＮｏ）について説明する。この場合には、ＣＰＵ２２６内の設定手段２２６５が、定着手段４の第２電力を設定する（ステップＳ１８）。ここで、第２電力とは、ＣＩＳ２２５を使用しない場合の定着手段４に消費される電力のことである。つまり、第２電力は以下の式（２）により求めることができる。
【００３４】
第２電力＝第１電力＋ＣＩＳで消費される電力    （２）
上記式（２）について説明する。上記式（２）は、両面読取手段（ＣＩＳ２２５）が用いられる場合に定着手段４で消費される電力（つまり第１電力）と、両面読取手段（ＣＩＳ２２５）で消費される電力と、を加算することで算出することを意味する。つまり、本実施例の画像形成装置では、ＣＩＳ２２５を使用しない場合には、ＣＩＳ２２５に電力の供給を行わずに、ＣＩＳ２２５を用いた場合のＣＩＳ２２５で消費される電力をそのまま、定着手段４に供給するものである。片面読取モードが選択された場合に、印刷処理の度に、設定手段２２６５が上記式（２）の演算を行っても良い。設定手段２２６５が設定した第２電力は、記憶手段２２６６に記憶される（第２電力が設定される）。
【００３５】
また、設定手段２２６５は、予め上記式（２）により第２電力を設定しておき、記憶手段２２６６に記憶させておいても良い。この場合には、設定手段２２６５は、印刷処理の際に、上記式（２）を演算することなく、記憶手段２２６６から記憶された第２電力を取得して、該第２電力を設定すればよい。なお、以下の説明では、設定手段が設定した第２電力を設定電力という場合もある。
【００３６】
そして、ＣＰＵ２２５は、切替手段２２３をＯＦＦ制御することで、ＣＩＳへの電力供給を停止させる（ステップＳ２０）。
＜両面読取モードが選択された場合＞
次に、判断手段２２６２が、両面読取モードが選択されたと判断した場合（つまりＣＩＳ２２５を使用する場合であり、ステップＳ１６のＹｅｓ）について説明する。この場合には、設定手段２２６５は、［画像形成処理動作開始］で説明した図４のフローチャート図中のステップＳ８により算出された第１電力を設定電力として設定する（ステップＳ２２）。上述の通り、第１電力とは、ＣＩＳを使用する場合の、定着手段４で消費される電力のことである。
【００３７】
そして、ＣＰＵ２２６は、設定電力を定着手段４に供給する（ステップＳ２４）。ここで、ステップＳ１６において、判断手段２２６２により、両面読取モードが選択されていると判断された場合、（ステップＳ１６のＹｅｓ）には、第１電力が定着手段４に供給される。また、ステップＳ１６において、判断手段２２６２により、片面読取モードが選択されていると判断された場合（ステップＳ１６のＮｏ）には、第２電力が定着手段４に供給される。第１電力、第２電力の切替は、ＣＰＵ２２６の制御のもと、供給手段３に制御を行わせる。
【００３８】
定着手段４に、第１電力、または第２電力の供給が終了すると、画像形成装置１００は、画像形成処理を実行する（ステップＳ２６）。
［画像形成処理終了動作］
次に画像形成処理終了動作について説明する。図７に画像形成処理動作の処理フローを示す。まずＣＰＵ２２５が、原稿読取処理が終了したか否かを判断する。ＣＰＵ２２５が終了していないと判断した場合には、ＣＰＵ２２５は、終了するまで待機する（ステップＳ３２のＮｏ）。ＣＰＵ２２５が原稿読取処理を終了したと判断した場合には（ステップＳ３２のＹｅｓ）、次のステップＳ３４に進む。次に、ＣＰＵ２２５は、ＣＩＳ２２５への電力供給が停止されているか否かを判断する。上述のようにＣＩＳ２２５への電力供給が停止されているということは、判断手段２２６２が、ＣＩＳ２２５を用いないと判断した場合である。
【００３９】
ＣＩＳ２２５への電力供給が停止された場合には（ステップＳ３４のＹｅｓ）、ＣＰＵ２２６は切替手段２２３を切り替えることで、ＣＩＳ２２５への電力供給を開始する（ステップＳ３６）。つまり、供給手段３は、両面読取手段（ＣＩＳ２２５）を用いずに画像形成処理が終了すると、両面読取手段に、電力を供給する。これは、次の印刷動作において、ＣＩＳ２２５への電力供給が停止されている場合には、ＣＩＳへの電力供給再開後、原稿読取を開始する前に、電源安定待ち時間や、ＣＩＳ２２５を使用するための設定などの時間により、印刷時間が遅延することを防止できるという効果を奏する。
【００４０】
ＣＩＳ２２５の電力供給開始後、原稿の読取動作の準備を行う（ステップＳ３８）。そして、待機モードに移行する（ステップＳ４０）。上述の通り、待機モードとは、ユーザにより次の操作が入力されるまで待機するモードである。
【００４１】
また、ＣＩＳ２２５への電力供給が停止されていない場合（ステップＳ３４のＮｏ）、つまり、ＣＩＳ２２５が用いられた場合（原稿の両面読取が行われた場合）には、ＣＩＳ２２５への電力供給は継続しており、読取動作準備も行われている。従って、ステップＳ３６、ステップＳ３８を経ずに、ステップＳ４０に進む。
【００４２】
ステップＳ４０の処理が終了すると、ＣＰＵ２２６は、ユーザからのコピー要求があるか否かを判断する（ステップＳ４２）。ユーザからのコピー要求がある場合には、コピー動作開始処理フロー（図６参照）に進む（ステップＳ４８）。
【００４３】
また、コピー要求がない場合には、ステップＳ４４に進む。ステップＳ４４では、ＣＰＵ２２６は、予め定められた所定時間が経過したか否かを判定する。ＣＰＵ２２６は所定時間を計測するためのタイマを保持しておけばよい。画像形成装置１００は、所定時間が経過するまで待機する（ステップＳ４４のＮｏ）。そして、所定時間が経過すると（ステップＳ４４のＹｅｓ）、省エネモードに移行する（ステップＳ４６）。
【００４４】
本実施形態のように、原稿の片面読取の場合には、ＣＩＳ２２５（両面読取手段）を用いない。ＣＩＳ２２５を用いない場合には、ＣＩＳ２２５に電力を供給する必要はない。そして、原稿の片面読取の場合には、供給手段３は、ＣＩＳ２２５を用いる場合に該ＣＩＳ２２５で消費される電力と、第１電力との和により求められる第２電力を定着手段４に供給する。第１電力＜第２電力となることから、多くのオプション構成が設けられたとしても、定着手段４に供給する電力の低下を必要最小限に抑えることができるので、コピー速度の低下も最小限に抑えられるという効果を奏することができる。
［実施形態２］
実施形態１では、両面読取モードの場合、または片面読取モードの場合において、定着手段へ供給される電力は異なることを説明した。実施形態２では、用紙の両面読取モードまたは／および、片面読取モードのコピー速度（単位は、ＣＰＭ：Ｃｏｐｙ  Ｐｅｒ  Ｍｉｎｕｔｅｓを）を表示する。該表示は表示部により表示させればよい。表示部は例えば、操作ボード１３０（図１参照）に設けられる。
【００４５】
また、コピー速度は、定着手段４に供給する電力（つまり、本実施例では第１電力または第２電力）に基づいて、算出される。コピー速度の算出方法は様々あるが、例えば、所定の式Ｐや、対応テーブル表Ｑを用いて求められる。この対応テーブル表の一例を図８に示す。図８の例では、定着手段４への供給電力が第１電力（Ｘ（Ｗ））である場合には、コピー速度は、Ｖ１であり、第２電力（Ｘ（Ｗ））である場合には、コピー速度はＶ２である。従って、ＣＰＵ２２６がこの対応テーブル表Ｑを参照することで、コピー速度を求めることができる。所定の式Ｐや対応テーブル表Ｑは、予め実験的に求めておけばよい。
【００４６】
この実施形態２では、表示部に、用紙の両面が読み取られる場合、または／および、用紙の片面が読み取られる場合の、画像形成速度を表示する。従って、ユーザは、コピー速度を認識できる。
【符号の説明】
【００４７】
１・・・主電源ＡＣスイッチ
２・・・給紙トレイ
３・・・供給手段
４・・・定着手段
１１・・・第１オプション
１２・・・第２オプション
１００・・・画像形成装置
２００・・・スキャナ
２２０・・・ＡＤＦ
２２５・・・ＣＩＳ
２５０・・・プリンタ
【先行技術文献】
【特許文献】
【００４８】
【特許文献１】特開２００９‐１１１９０９号公報
【図１】
2011170267.tif 000003
【図２】
2011170267.tif 000004
【図３】
2011170267.tif 000005
【図４】
2011170267.tif 000006
【図５】
2011170267.tif 000007
【図６】
2011170267.tif 000008
【図７】
2011170267.tif 000009
【図８】
2011170267.tif 000010